【事件の表示】
　特願２００２−３１２１２６号「気密コンパクト」拒絶査定不服審判事件〔平成１６年５月２０日出願公開、特開２００４−１４１５１１号〕について、次のとおり審決する。
【結　論】
　本件審判の請求は、成り立たない。
【理　由】
１．手続の経緯
　本願は、平成１４年１０月２８日の出願であって、平成２０年３月３日付けで拒絶査定がなされ、これに対し、平成２０年４月１０日に拒絶査定不服審判の請求がなされ、平成２０年５月１２日付けで手続補正書が提出されたが、当審において、平成２２年４月２日付けで当該平成２０年５月１２日付けで提出された手続補正書による手続補正について補正の却下の決定がなされるとともに、同日付けで拒絶理由が通知され、これに対し、平成２２年６月３日付けで手続補正書及び意見書が提出されたものである。
　
　
２．本願発明
　本願の請求項１に係る発明（以下、「本願発明」という。）は、平成２２年６月３日付けの手続補正書により補正された特許請求の範囲の請求項１に記載された事項により特定される、以下のとおりのものである。
「【請求項１】
　化粧料を充填する内部空間を有する容器本体と、この容器本体に開閉可能に保持され該容器本体に設けられたスライドフックによって係止される蓋体と、容器本体および蓋体の相互間にて挟持され容器本体の内部空間を気密状態に保持するシール部材とを備えたコンパクトであって、
　前記容器本体に、前記スライドフックを解除した際に前記蓋体を極僅かに持ち上げる弾性体を設け、
　前記蓋体の裏面に、該蓋体に一体的に設けられた係止片により脱落不能に保持され、前記シール部材を配置するとともにその外周面及び内周面の少なくとも一方につき側壁との間にて隙間を形成する環状溝部を形成した中蓋を設け、
　前記容器本体に、中枠を介して着脱自在に保持され、環状凸部を前記シール部材に合わせることで内部を気密状態に保持するドラムを配置したことを特徴とする気密コンパクト。」
　
　
３．当審の拒絶理由
　一方、当審において平成２２年４月２日付けで通知した拒絶の理由の概要は、本願発明は、本願の出願の日前に頒布された実願平２−８０４０４号（実開平４−４１３１６号）のマイクロフィルム（以下、「刊行物１」という。）記載の発明、並びに、特開平９−５６４５６号公報（以下、「刊行物２」という。）、及び、特開平１１−９３３５号公報（以下、「刊行物３」という。）記載の技術事項に基いて当業者が容易に発明をすることができたものであるから、特許法第２９条第２項の規定により特許を受けることができない、というものである。
　
　
４．刊行物の記載事項
　刊行物１には、次の事項が図面とともに記載されている。
（ａ）「２．実用新案登録請求の範囲
　１．化粧料容器とパフ収納部とを横並びに配置した密封コンパクト容器において、該化粧料並びにパフ収納部を配置構成する容器本体と該容器本体を覆蓋する蓋板との掛合部を、化粧料容器の中央前部に設け、コンパクト容器本体の前面中央に設けた押釦を押動することにより容器本体と蓋板との掛合を解除するようにしたことを特徴とする化粧用密封コンパクト容器。」（明細書第１頁第４行〜同第１２行）
（ｂ）「〈作用〉
　容器本体と蓋板との掛合部を化粧料容器の前部に設けたことにより蓋板を閉合した時、パッキンを介在させた化粧料容器と蓋板との閉合状態を安定させることにより気密性を高めるものである。」（明細書第３頁第１１行〜同第１５行）
（ｃ）「次に前記ロック部材9の掛合部13に通じる透孔16を有し、且つ化粧料容器20の保持部17とパフ保持部19とを有する中枠15を容器本体1の上側に、容器部2とパフ収納部3とに夫々保持部17,19を一致させて載置する。
　そして、保持部17には、ここに嵌入した化粧料容器20の周側条溝21を弾力的に掛合保持する複数個の掛止舌片18,18…を等隔的に連設形成していて該容器20を容易に嵌脱できるように構成している。
　更に、該容器本体1の後側に凹設した凹所8に、上蓋22の後縁に下向き突設した取付片25を回動自由に枢設して、該容器本体1の上面を覆蓋するようにし、該上蓋22の左寄り内側には化粧料容器20の気密を保つためのパッキン23と前記中枠15の透孔16を経て前記掛合部13と出合う掛止片24を立設してなる。」（明細書第４頁第１６行〜第５頁第１２行）
（ｄ）「又、上蓋22を開扉するには、容器本体１の前面中央にあるロック部材9の押動部10を両端寄りの弾性支持片11,12の弾力に抗して押えることにより、該ロック部材9の掛合部13は内方へ移動し、掛止突起14と掛止片24の掛止爪24′との掛合が解除され、これと同時に上蓋は容器本体１との枢着部に介在した弾性体８′の弾力によって掛止突起14と掛止片24の掛止爪24′との掛合が完全に解除されるまでの間、上蓋22を僅かに開動して、開扉動作を容易ならしめるようにしている。」（明細書第６頁第４行〜同第１３行）
　
　上記（ａ）乃至（ｄ）の記載事項において、「蓋板」と「上蓋」は同一の部材を示しているので、以下、「蓋板」に統一する。
　
　上記（ａ）の記載事項及び図面第１図〜第４図の図示内容からみて、「化粧料容器」は化粧料を充填する空間であるといえ、「容器本体」は「化粧料容器」、すなわち、化粧料を充填する内部空間を有するといえる。
　
　上記（ｂ）及び（ｃ）の記載事項並びに図面第１図〜第４図の図示内容からみて、「パッキン」は、「容器本体」および「蓋板」の相互間に介在し、「容器本体」の内部空間の気密を保つといえる。
　
　上記（ｄ）の記載事項及び図面第１図の図示内容からみて、「弾性体」は「容器本体」に設けられているといえる。
　
　上記（ｃ）の記載事項及び図面第１図の図示内容からみて、「化粧料容器」は「容器本体」に「中枠」を介して容易に嵌脱できるといえる。
　
　上記（ｂ）及び（ｃ）の記載事項並びに図面第１図〜第４図の図示内容からみて、「化粧料容器」は、開口縁を「パッキン」に合わせて、内部の気密を保つといえる。
　
　以上の記載事項及び図面の図示内容からみて、刊行物１には、次の発明（以下、「刊行物１記載の発明」という。）が記載されていると認められる。
「化粧料を充填する内部空間を有する容器本体と、この容器本体に回動自由に枢設され該容器本体に設けられたロック部材によって掛合される蓋板と、容器本体および蓋板の相互間に介在し、容器本体の内部空間の気密を保つパッキンとを備えた化粧用密封コンパクト容器であって、
　前記容器本体に、ロック部材の押動部を押えることにより掛合が解除され、これと同時に蓋板を僅かに開動する弾性体を設け、
　前記蓋板の内側にパッキンを設け、
　前記容器本体に、中枠を介して容易に嵌脱でき、開口縁を前記パッキンに合わせることで内部の気密を保つ化粧料容器を配置した化粧用密封コンパクト容器。」
　
　また、刊行物２には、次の事項が記載されている。
（ｅ）「【課題を解決するための手段】本発明は前記課題を解決するために、以下の手段を採用した。本発明は、容器本体と、この容器本体を閉塞する蓋体とを備え、容器本体には粉状化粧料を収容する収容凹部が設けられ、この収容凹部の上部開口が網体によって覆われている化粧用コンパクト容器において、前記蓋体の内面であって閉蓋時に前記網体に重ね合わされる部位には、閉蓋時に網体の目に差し込まれて目を閉ぐ起毛が取り付けられていることを特徴とする化粧用コンパクト容器である（請求項１に対応）。」（段落【０００６】）
（ｆ）「あるいは、前記容器本体は内部が前記収容凹部になっている中皿を備え、中皿はその開口側外周縁に前記網体を包囲する鍔部を有し、前記起毛は閉蓋時に網体に重ね合わされる範囲に取り付けられており、前記蓋体には閉蓋時に鍔部に圧接する環状パッキンを取り付ける（請求項３に対応）。
　このようにすると、閉蓋時には網体の目が起毛によって閉ざされるだけでなく、網体の周囲の鍔部に環状パッキンが圧接してシールするので、粉状化粧料の漏出通路を完全に遮断することができる。」（段落【００１０】〜【００１１】）
（ｇ）「第３の実施の形態が第１の実施の形態と相違する点について以下に説明する。第３の実施の形態では、蓋体３０の内面において鍔部２４に対応する部分に環状の凹部３５が形成されている。そして、この凹部３５にはエラストマー等の弾性材からなる環状のパッキン３６が取り付けられている。又、第３の実施の形態では、起毛３２が網体２５に対応する部位にのみ設けられている。
　その他の構成については第１の実施の形態と同様であるので、図中の同一態様部分に同一符号を付してその説明は省略する。
　この第３の実施の形態においては、蓋体３０を閉じると、起毛３２がその先端を網体２５の目に差し込んで目を閉ざし、パッキン３５が鍔部２４に圧接してシールする。その結果、蓋体３０の閉蓋時には、粉状化粧料の漏出通路が完全に遮断される。
　第３の実施の形態の場合にも、閉蓋して携帯した時に、粉状化粧料が網体２５を通過することがなく、鍔部２４の外にこぼれることもなく、又、コンパクト容器を薄型にすることができる。」（段落【００３３】〜【００３６】）
　
　上記（ｅ）〜（ｇ）の記載事項及び図面図１０の図示内容からみて、「環状のパッキン」の外周面と「環状の凹部」の側壁との間には隙間が形成されているといえる。
　
　上記（ｅ）〜（ｇ）の記載事項、特に上記（ｇ）の「エラストマー等の弾性材からなる環状のパッキン３６が取り付けられている。」及び「パッキン３５が鍔部２４に圧接してシールする。その結果、蓋体３０の閉蓋時には、粉状化粧料の漏出通路が完全に遮断される。」という記載事項からみて、「環状のパッキン」は、化粧料を充填する空間を気密状態に保持するといえる。
　
　以上の記載事項及び図面の図示内容からみて、刊行物２には、次の技術事項が記載されていると認められる。
「化粧用コンパクト容器において、化粧料を充填する空間を気密状態に保持する構造として、環状のパッキンを取り付けるとともにその外周面につき側壁との間にて隙間を形成する環状の凹部を設ける技術。」
　
　また、刊行物３には、次の事項が記載されている。
（ｈ）「更に、本発明の請求項６に示す化粧料容器は、上記凹部の開口周縁部を囲繞して配置した環状のシール部材を備え、該シール部材が上記蓋体もしくは上記中蓋の閉止状態でその内側面の上記ガスバリヤー層に圧接される構成とする。
　かかる構成になる本発明の化粧料容器の作用を以下述べると、請求項１では容器本体および蓋体に、該容器本体の揮発性化粧料を収納する凹部を取り囲んでガスバリヤー層を設けたので、蓋体を閉止して上記凹部を密閉した状態では、該ガスバリヤー層によって揮発性化粧料を封じ込め、該揮発性化粧料の水分，油分等の揮発性成分が発散されてしまうのを防止し、もって揮発性化粧料の品質を長期間に亘って保つことができる。」（段落【００１２】〜【００１３】）
（ｉ）「前記第１，第２凹部２０，２２の周縁部には、これら凹部２０，２２を全体的に囲繞して溝部３８が形成され、該溝部３８にシール部材としての連続した環状のパッキング４０が嵌着される。前記溝部３８は下段部３８ａが幅狭となり、上段部３８ｂが幅広となる段差状に形成される。そして、前記パッキング４０は前記下段部３８ａに圧入される固定部４０ａと、前記上段部３８ｂに若干の隙間δをもって遊嵌される圧縮変形部４０ｂとで形成される。上記圧縮変形部４０ｂの上端部は、容器本体１２の上面１２ａから若干突出して配置され、この突出した先端部が上記中蓋１８の内側面１８ｄに圧接されるようになっている。」（段落【００２８】）
（ｊ）「このとき、上記中蓋１８の内側面１８ｄにはガスバリヤー層４２が設けられているので、上記パッキング４０には該ガスバリヤー層４２が直接接触されて、第１，第２凹部２０，２２の開口部を気密に密閉する。そしてこれらガスバリヤー層４２と第１，第２凹部２０，２２に対する密閉作用とにより、第１，第２凹部２０，２２内の揮発性化粧料Ｍから発散する水分，油分等の揮発性成分が中蓋１８から透過されるのを防止、若しくは著しく低減することができる。このため、揮発性化粧料Ｍの品質低下を防止することができる。」（段落【００３４】）
　
　上記（ｈ）〜（ｊ）の記載事項及び図面図２の図示内容からみて、「凹部を全体的に囲繞」する「溝部」は、環状の溝部といえ、当該環状の溝部に「環状のパッキング」が配置されているといえ、当該「環状のパッキング」の「圧縮変形部」の外周面と、環状の溝部の「上段部」の側壁との間には、「隙間」が形成されているといえるから、「環状のパッキング」の外周面と環状の溝部の側壁との間には「隙間」が形成されているといえる。
　
　上記（ｈ）〜（ｊ）の記載事項からみて、「環状のパッキング」は、化粧料を充填する空間を気密状態に保持するといえる。
　
　以上の記載事項及び図面の図示内容からみて、刊行物３には、次の技術事項が記載されていると認められる。
　「化粧料容器において、化粧料を充填する空間を気密状態に保持する構造として、環状のパッキングを配置するとともにその外周面につき側壁との間にて隙間を形成する環状の溝部を設ける技術。」
　
　そして、刊行物２に記載された技術事項の「環状のパッキン」は環状のシール部材といえ、「環状の凹部」は環状の溝部といえ、刊行物３に記載された技術事項の「化粧料容器」は化粧用コンパクト容器といえ、「環状のパッキング」は環状のシール部材といえるから、刊行物２及び刊行物３には、次の技術事項がそれぞれ記載されていると認められる。
　化粧用コンパクト容器において、化粧料を充填する空間を密封する構造として、環状のシール部材を配置するとともにその外周面につき側壁との間にて隙間を形成する環状の溝部を設ける技術。（以下、「刊行物２，３記載の技術事項」という。）
　
　
５．対比・判断
（イ）本願発明と刊行物１記載の発明とを対比すると、その構造又は機能からみて、刊行物１記載の発明の「容器本体」は、本願発明の「容器本体」に相当し、以下同様に、「回動自由に枢設され」は「開閉可能に保持され」に、「ロック部材」は「スライドフック」に、「掛合」は「係止」に、「蓋板」は「蓋体」に、「パッキン」は「シール部材」に、「化粧用密封コンパクト容器」は「コンパクト」及び「気密コンパクト」に、「弾性体」は「弾性体」に、「中枠」は「中枠」に、「化粧料容器」は「ドラム」に、それぞれ相当する。
（ロ）刊行物１記載の発明の「容器本体および蓋板の相互間に介在し、容器本体の内部空間の気密を保つパッキン」は、本願発明の「容器本体および蓋体の相互間にて挟持され容器本体の内部空間を気密状態に保持するシール部材」に相当する。
（ハ）刊行物１記載の発明の「ロック部材の押動部を押えることにより掛合が解除され、これと同時に蓋板を僅かに開動する弾性体」は、本願発明の「スライドフックを解除した際に」「蓋体を極僅かに持ち上げる弾性体」に相当する。
（ニ）刊行物１記載の発明の「蓋板の内側にパッキンを設け」は、蓋体の裏面側にシール部材を設ける点で、本願発明と共通する。
（ホ）刊行物１記載の発明の「容器本体に、中枠を介して容易に嵌脱でき」る「化粧料容器」は、本願発明の「容器本体に、中枠を介して着脱自在に保持され」る「ドラム」に相当する。
（ヘ）刊行物１記載の発明の「化粧料容器」の「開口縁」と、本願発明の「ドラム」の「環状凸部」は、開口縁である点で共通し、刊行物１記載の発明の「開口縁を」「パッキンに合わせることで内部の気密を保つ化粧料容器」は、開口縁をシール部材に合わせることで内部を気密状態に保持する点で、本願発明の「環状凸部を」「シール部材に合わせることで内部を気密状態に保持するドラム」と共通する。
　
　そこで、本願発明と刊行物１記載の発明とは、
「化粧料を充填する内部空間を有する容器本体と、この容器本体に開閉可能に保持され該容器本体に設けられたスライドフックによって係止される蓋体と、容器本体および蓋体の相互間にて挟持され容器本体の内部空間を気密状態に保持するシール部材とを備えたコンパクトであって、
　前記容器本体に、前記スライドフックを解除した際に前記蓋体を極僅かに持ち上げる弾性体を設け、
　前記蓋体の裏面側に、前記シール部材を設け、
　前記容器本体に、中枠を介して着脱自在に保持され、開口縁を前記シール部材に合わせることで内部を気密状態に保持するドラムを配置した気密コンパクト。」という点で一致し、次の２点で相違する。
　
（相違点１）
　本願発明は、「蓋体の裏面に、該蓋体に一体的に設けられた係止片により脱落不能に保持され、」「シール部材を配置するとともにその外周面及び内周面の少なくとも一方につき側壁との間にて隙間を形成する環状溝部を形成した中蓋を設け」るのに対して、刊行物１記載の発明は、蓋体の裏面側にシール部材を配置するものの、蓋体の裏面に中蓋を有しておらず、さらに、シール部材を環状溝部に配置する構成も有していない点。
　
（相違点２）
　本願発明は、「ドラム」に「環状凸部」を設け、当該「環状凸部を」「シール部材に合わせることで内部を気密状態に保持する」のに対して、刊行物１記載の発明は、ドラムの開口縁をシール部材に合わせることで内部を気密状態に保持するものの、ドラムの開口縁に環状凸部を有していない点。
　
（相違点１について）
　化粧用コンパクト容器において、化粧料を充填する空間を気密状態に保持する構造として、蓋体の裏面に、該蓋体に一体的に設けられた係止片により脱落不能に保持され、シール部材を配置する中蓋を設けることは、例えば、実願昭６２−１４４５号（実開昭６３−１１１８１０号）のマイクロフィルム（第５頁第３行〜第６頁第４行、図面第１図〜第３図）、実願平２−２３３８２号（実開平３−１１４１２０号）のマイクロフィルム（第５頁第１６行〜第７頁第２行、図面第１図〜第６図）に記載されているように、周知の技術（以下、「周知技術１」という。）である。
　また、刊行物２，３には、化粧用コンパクト容器において、化粧料を充填する空間を気密状態に保持する構造として、環状のシール部材を配置するとともにその外周面につき側壁との間にて隙間を形成する環状の溝部を設ける技術事項が記載されている。
　そこで、刊行物１記載の発明である、気密コンパクトにおいて、化粧料を充填する空間を気密状態に保持する構造として、周知技術１を適用して、蓋体の裏面に、該蓋体に一体的に設けられた係止片により脱落不能に保持され、シール部材を配置する中蓋を設けること、さらに、化粧料を充填する空間を気密状態に保持する構造として、上記刊行物２，３記載の技術事項を適用して、シール部材を配置する中蓋に、環状のシール部材を配置するとともにその外周面につき側壁との間にて隙間を形成する環状の溝部を設けることは、当業者が容易に想到し得るものである。
　
（相違点２について）
　化粧用コンパクト容器において、化粧料を充填する空間を気密状態に保持する構造として、当該空間を囲むように環状凸部を設け、当該環状凸部をシール部材に合わせることは、例えば、実願昭５７−６７９７３号（実開昭５８−１７１６１０号）のマイクロフィルム（第５頁第１０行〜同第１８行、図面第１図〜第４図）、実願昭６０−１２７７６４号（実開昭６２−３７２１２号）のマイクロフィルム（第６頁第４行〜同第１１行、図面第１図〜第４図）に記載されているように、周知の技術（以下、「周知技術２」という。）である。
　よって、刊行物１記載の発明である、気密コンパクトにおいて、化粧料を充填する空間を気密状態に保持する構造として、周知技術２を適用して、ドラムに環状凸部を設け、当該環状凸部をシール部材に合わせることで内部を気密状態に保持することは、当業者が容易に想到し得るものである。
　
　そして、本願発明による効果も、刊行物１記載の発明、刊行物２，３記載の技術事項、及び、周知技術１，２から当業者が予測し得る程度のものであって、格別なものとはいえない。
　
　したがって、本願発明は、刊行物１記載の発明、刊行物２，３記載の技術事項、及び、周知技術１，２に基いて当業者が容易に発明することができたものである。
　
　
６．むすび
　以上のとおり、本願発明は、刊行物１記載の発明、刊行物２，３記載の技術事項、及び、周知技術１，２に基いて当業者が容易に発明することができたものであるから、特許法第２９条第２項の規定により、特許を受けることができない。
　よって、結論のとおり審決する。